(57)【要約】      （修正有）【課題】高さをより低減することができる物干し装置を提供する。【解決手段】幅方向に長尺な、固定面に取付け可能に形成された筐体１０と、筐体に幅方向に所定距離だけ互いに離間した２つの連結部と、幅方向に直交する第１方向を向く軸周りに回動可能に２つの連結部のそれぞれに一端がそれぞれ連結される２つの長尺な第１アーム片１２ａ，１２ｂと、第１方向を向く軸周りに回動可能に２つの第１アーム片それぞれの他端に一端がそれぞれ連結される２つの長尺な第２アーム片１３ａ,１３ｂと、第１方向を向く軸周りに回動可能に一方の第２アーム片の他端に一端が連結され、第１方向を向く軸周りに回動可能に他方の第２アーム片の他端に他端が連結される、軸方向に長尺な物干し部１１とを備える。物干し部の上端は前記第１アーム片の下端と略同等の高さ又は下端より高く、且つ物干し部の下端は前記第１アーム片の上端と略同等の高さ又は上端より低い位置とする。【選択図】図１
2018121932.tif 000002
【特許請求の範囲】
【請求項１】
幅方向に長尺であり、固定面に取付け可能に形成された筐体（１０）と、
前記筐体に前記幅方向に所定距離だけ互いに離間して設けられた２つの連結部（１０１１）と、
長尺に形成され、前記幅方向に直交する第１方向を向く軸周りに回動可能に前記２つの連結部のそれぞれに一端がそれぞれ連結される２つの第１アーム片（１２）と、
長尺に形成され、前記第１方向を向く軸周りに回動可能に前記２つの第１アーム片それぞれの他端に一端がそれぞれ連結される２つの第２アーム片（１３）と、
幅方向に長尺に形成され、前記第１方向を向く軸周りに回動可能に一方の第２アーム片の他端に一端が連結されるとともに、前記第１方向を向く軸周りに回動可能に他方の第２アーム片の他端に他端が連結される物干し部（１１）とを備え、
前記物干し部の上端は前記２つの第１アーム片の下端と略同等の高さまたは該下端より高く、且つ、前記物干し部の下端は前記２つの第１アーム片の上端と略同等の高さまたは該上端より低い位置であることを特徴とする物干し装置。
【請求項２】
前記物干し部と前記２つの第１アーム片とは互いに略同等の高さ位置であり、前記２つの第２アーム片は、前記物干し部及び前記２つの第１アーム片に対して上方または下方に配置されることを特徴とする請求項１に記載の物干し装置。
【請求項３】
前記２つの第２アーム片それぞれの一端は、該第２アーム片の長手方向と直交する方向において、連結される第１アーム片側にオフセットされることを特徴とする請求項１または請求項２に記載の物干し装置。
【請求項４】
前記２つの連結部のそれぞれは、前記筐体に固定的に設けられた２つの基部のそれぞれに対し、前記幅方向に平行する第２方向を向く軸周りに回動可能に連結されることを特徴とする請求項１〜請求項３のいずれか一項に記載の物干し装置。
【請求項５】
一端が前記２つの第２アーム片のそれぞれに接続され、他端が前記筐体から垂下する２つの紐状部材を更に備えることを特徴とする請求項１〜請求項４のいずれか一項に記載の物干し装置。
【請求項６】
一端が物干し装置の両端部のそれぞれに接続され、他端が前記筐体から垂下する２つの紐状部材を更に備えることを特徴とする請求項１〜請求項４のいずれか一項に記載の物干し装置。
【発明の詳細な説明】
【技術分野】
【０００１】
本発明は、壁面等の固定面に取り付け可能な物干し装置に関する。
【背景技術】
【０００２】
洗濯されて湿った衣類や布団などを干すにあたって、天候がこれに適さない場合には、衣類や布団は室内に干されるのが一般的である。この際、室内には衣類や布団を掛けるための構造物が必要となるため、室内の対向する壁間に亘って設けられた紐状部材や長尺部材などが用いられていたが、これらは不使用時には居住空間の快適性を妨げるものとなっていた。
【０００３】
このような事情に対し、折りたたみ自在な物干し竿用の２つの支持腕が一定の間隔を隔てて一対設けられ、これらの支持腕の伸張時の伸張方向に対して直角方向に平行であって、伸縮自在の物干し竿が２つの支持腕の一側に設けられ、支持腕の他側にバルコニーの壁面などへ設置できるように取付部材が設けられてなる折りたたみ自在な物干し、が知られている。（特許文献１参照）。
【０００４】
この物干しによれば、室内に衣類や布団を干す必要がない場合、２つの支持椀を水平方向に折りたたむことによって、物干しを格納状態とすることにより、この物干しを使用しない場合の居住空間における占有スペースを低減させることができる。
【先行技術文献】
【特許文献】
【０００５】
【特許文献１】特開２００３−３２０１９９号公報
【発明の概要】
【発明が解決しようとする課題】
【０００６】
上述の折りたたみ自在な物干しにおいて、２つの支持腕は、１番目の連結片と２番目の連結片とからなり、これらの連結片が回動軸を介して互いに水平方向に回動自在に連結されている。１番目の連結片と２番目の連結片とを水平方向に折りたたみ可能とすることによって、物干し竿が壁面近傍の位置と壁面から離間した位置とを移動可能として、物干しを格納状態または使用状態とすることができる。ここで、１番目の連結片の一端にはその上方に物干し竿が連結され、１番目の連結片の他端にはその下方に２番目の連結片の一端が連結され、これらの部材は、物干し竿、１番目の連結片、２番目の連結片の順に高さ方向に異なる位置に並置される。そのため、折りたたみ時、即ち、物干し竿を壁面近傍の位置とした場合、壁面近傍において、物干しは、少なくとも、１番目の連結片、２番目の連結片、及び物干し竿それぞれの高さを合計した以上の高さを有するスペースを占有してしまう、という問題がある。
【０００７】
室内用の物干し装置が設置される位置としては、衣類や布団を効率よく干すという観点から、日光を効率良く衣類や布団に当てるために窓の上方が適切であるが、窓の上端から天井までの距離は限られており、更にカーテンレールやエアコンなどが設置されている。そのため、室内用の物干し装置には、特に格納時において高さを低減することが求められている。
【０００８】
そこで、本発明は、このような問題に鑑みてなされたもので、その目的とするところは、
高さをより低減することができる物干し装置を提供することにある。
【課題を解決するための手段】
【０００９】
上記課題を解決するために、本実施形態における物干し装置は、幅方向に長尺であり、固定面に取付け可能に形成された筐体（１０）と、前記筐体に前記幅方向に所定距離だけ互いに離間して設けられた２つの連結部（１０１１）と、長尺に形成され、前記幅方向に直交する第１方向を向く軸周りに回動可能に前記２つの連結部のそれぞれに一端がそれぞれ連結される２つの第１アーム片（１２）と、長尺に形成され、前記第１方向を向く軸周りに回動可能に前記２つの第１アーム片それぞれの他端に一端がそれぞれ連結される２つの第２アーム片（１３）と、幅方向に長尺に形成され、前記第１方向を向く軸周りに回動可能に一方の第２アーム片の他端に一端が連結されるとともに、前記第１方向を向く軸周りに回動可能に他方の第２アーム片の他端に他端が連結される物干し部（１１）とを備え、前記物干し部の上端は前記２つの第１アーム片の下端と略同等の高さまたは該下端より高く、且つ、前記物干し部の下端は前記２つの第１アーム片の上端と略同等の高さまたは該上端より低い位置であることを特徴とする。
【発明の効果】
【００１０】
本発明によれば、高さをより低減することができる。
【図面の簡単な説明】
【００１１】
【図１】使用状態にある物干し装置の全体構成を示す斜視図である。
【図２】格納状態にある物干し装置の全体構成を示す斜視図である。
【図３】使用状態にある物干し装置を示す正面図である。
【図４】使用状態にある物干し装置を示す側面図である。
【図５】第２アーム片の第１連結部の形状を示す図である。
【図６】格納状態にある物干し装置を示す正面図である。
【図７】図６に示されるＡ−Ａ’線断面図である。
【図８】図６に示されるＢ−Ｂ’線断面図である。
【図９】異なる断面形状を有する物干し部を示す断面図である。
【図１０】格納状態にある第１アーム片を示す斜視図である。
【図１１】移行状態にある第１アーム片を示す斜視図である。
【図１２】使用状態にある第１アーム片を示す斜視図である。
【図１３】操作コードの一端が第２アーム片に接続された物干し装置の全体構成を示す斜視図である。
【図１４】操作コードの一端が物干し部に接続された物干し装置の全体構成を示す斜視図である。
【図１５】物干し装置の変形例を示す側面図である。
【発明を実施するための形態】
【００１２】
以下に添付図面を参照しながら、本発明の好適な実施形態について詳細に説明する。
【００１３】
（物干し装置の全体構成）
まず、本実施形態に係る物干し装置の全体構成について、図１及び図２を参照しながら説明する。図１は、使用状態にある物干し装置の全体構成を示す斜視図である。図２は、格納状態にある物干し装置の全体構成を示す斜視図である。なお、以降の説明において、物干し装置が取り付けられる側を後方、その反対側を前方、前後方向及び上下方向直交する方向を幅方向とし、ここで、幅方向における左右は、物干し装置を前方からみた場合を基準とする。
【００１４】
図１及び図２に示すように、本実施形態に係る物干し装置１は、居住空間内の固定面、例えば室内の壁面における窓の上方に設置され、筐体１０、物干し部１１、左右対称に設けられた２つの第１アーム片１２ａ，１２ｂ、左右対称に設けられた２つの第２アーム片１３ａ，１３ｂを備える。物干し装置１は、図１に示した使用状態と、図２に示した格納状態と、これらのいずれかの状態となる中途段階である移行状態とを取り得るものであり、ここで使用状態とは、物干し部１１が固定面から離間し、この物干し部１１に衣類ハンガーのフックなどが掛止可能となった状態を示し、格納状態とは、物干し部１１が固定面に近接した状態を示す。なお、以降の説明において、左右に２つ設けられた部材について、特に左右いずれかを特定する必要がない場合は、左右の部材を総称して呼称する。
【００１５】
筐体１０は、居住空間内の固定面に取付けられるものであり、その形状は、内部が中空であり且つ前方が開口した幅方向に長尺である略直方体状の箱型となっており、その内部において、左右両端部に２つの傾斜部１０１ａ，１０１ｂが設けられ、幅方向における略中央部に平面形成部１０２が設けられている。
【００１６】
物干し部１１は、幅方向に長尺に形成された棒状の部材であり、その左右両端部に２つの連結部１１１ａ，１１１ｂが設けられる。なお、本実施形態において、右側に配置された連結部１１１ａ、傾斜部１０１ａ、第１アーム１２ａ、第２アーム１３ａが互いに対応し、左側に配置された連結部１１１ｂ、傾斜部１０１ｂ、第１アーム１２ｂ、第２アーム１３ｂが互いに対応するようになっている。
【００１７】
第１アーム片１２は、傾斜部１０１を介して筐体１０に支持される長尺の部材であり、対応する傾斜部１０１に連結される第１連結部１２１と、対応する第２アーム片１３に連結される第２連結部１２２とが設けられる。第２アーム片１３は、第１アーム片１２に連結されるとともに物干し部１１を支持する長尺の部材であり、対応する第１アーム片１２の第２連結部１２２と連結される第１連結部１３１と、対応する連結部１１１と連結される第２連結部１３２とが設けられる。
【００１８】
傾斜部１０１、第１アーム片１２、第２アーム片１３、物干し部１１は、幅方向に直交する方向を向く軸周りに回動可能に互いに連結されており、使用状態においては、図１に示すように、第１アーム片１２の第１連結部１２１と第２アーム片１３の第２連結部１３２が離間し、且つ第２アーム片１３の第１連結部１３１と物干し部１１が離間するように、物干し部１１が前方に引き出される。この際、傾斜部１０１によって、物干し部１１が下方に位置するように第１アーム片１２及び第２アーム片１３が傾斜されるようになっているが、この点については後に詳述する。
【００１９】
一方、格納状態においては、図２に示すように、物干し部１１の連結部１１１及び第２アーム片１３の第２連結片１３２が傾斜部１０１及び第１アーム片１２の第１連結部１２１に近接するように物干し部１１が固定面側に格納される。なお、格納状態において、第１アーム片１２は筐体１０内の空間に収容されているため、図２においては視認されない。
【００２０】
（第１アーム片、第２アーム片、物干し部の位置関係）
次に、第１アーム片、第２アーム片、物干し部の位置関係について説明する。まず、使用状態における位置関係について説明する。図３は、使用状態にある物干し装置を示す正面図である。図４は、使用状態にある物干し装置を示す側面図である。図５は、第２アーム片の第１連結部の形状を示す図である。なお、図５は、図４に示される右側の第１アーム片及び第２アーム片のＡ矢視図であり、第１アーム片を透過させて示している。
【００２１】
図３及び図４に示すように、第１アーム片１２及び物干し部１１は、それぞれ、第２アーム片１３上に配置されて該第２アーム片１３の端部に回動可能に連結されている。これによって、物干し装置１が格納状態にある際、物干し部１１が第１アーム片１２と上下方向において略同位置となるが、この点については後に詳述する。
【００２２】
傾斜部１０１と第１アーム片１２の第１連結部１２１との連結軸の軸方向、第１アーム片１２の第２連結部１２２と第２アーム片１３の第１連結部１３１との連結軸の軸方向、第２アーム片１３の第２連結部１３２と物干し部１１の連結部１１１との連結軸の軸方向は、互いに平行している。また、これらの連結軸の軸方向は、傾斜部１０１により第１アーム片１２及び第２アーム片１３が傾斜されない状態、即ち、第１アーム片１２及び第２アーム片１３の長尺方向が水平方向を向く場合、上下方向を向く。
【００２３】
図５に示すように、第１アーム片１２とこれに対応する第２アーム片１３とは、物干し装置１が使用状態にある場合、それぞれの長尺方向が直交するようになっている。また、第１アーム片１２の第２連結部１２２と連結される第２アーム片１３の第１連結部１３１は、第２アーム片１３の長尺方向に対する直交方向における第１アーム片１２側にオフセットされている。これによって、物干し装置１が格納状態にある際、物干し部１１における格納状態時に前方に位置する面と、第２アーム片１３における格納状態時に前方に位置する面とが略同一平面上とすることができるが、この点については後に詳述する。
【００２４】
次に、格納状態における第１アーム片、第２アーム片、物干し部の位置関係について説明する。図６は、格納状態にある物干し装置を示す正面図である。図７は、図６に示されるＡ−Ａ’線断面図である。図８は、図６に示されるＢ−Ｂ’線断面図である。図９は、異なる断面形状を有する物干し部を示す断面図である。
【００２５】
図６に示すように、物干し装置１が格納状態にある場合、第１アーム片１２、第２アーム片１３、及び物干し部１１それぞれの長尺方向が互いに平行するようになっている。また、物干し部１１における格納状態時に前方に位置する平面と、第２アーム片１３における格納状態時に前方に位置する面である平面と、平面形成部１０２において前方に位置する平面とは、互いに略同一平面上にあり、格納状態にある物干し装置１全体の外観として、その前面に固定面と平行な平面を形成する（図７，８参照）。これによって、格納状態にある物干し装置１の意匠性を向上させることができる。そのため、本実施形態においては、物干し部１１、第１アーム片１２、及び第２アーム片１３は、いずれも直方体状に形成されている。
【００２６】
平面形成部１０２は、物干し装置１の幅方向における略中央において、幅Ｗ２に形成される。この幅Ｗ２は、物干し装置１の幅、即ち、筐体１の幅Ｗ１から、右側の第２アーム片１３ａの長手方向長さＬ１と左側の第２アーム片１３ｂの長手方向長さＬ２とを合計した長さＬを差し引いた幅以下とする。
【００２７】
図７に示すように、平面形成部１０２は、前後方向において、物干し部１１における格納状態時に前方に位置する平面の位置まで突出する突出部が平面形成部１０２の幅Ｗ２全域に亘って形成されており、この突出部の高さは、第２アーム片１３の高さと略同一とする。この突出部の前面が上述した前方に位置する平面であり、物干し部１１、第１アーム片１２、第２アーム片１３のそれぞれにおける平面とともに、物干し装置１の前方に固定面と平行な平面を形成する。
【００２８】
図８に示すように、第１アーム片１２は、物干し装置１が格納状態にある場合には、筐体１０内に収容され、物干し部１１の後方に位置する。また、第１アーム片１２の高さは物干し部１１の高さと略同一であり、第１アーム片１２の高さ位置もまた物干し部１１の高さ位置と略同一である。
【００２９】
また、物干し部１１の断面形状は、図９に示すように、後方上部の角をアール形状としても良く、これによって、物干し装置１が格納状態にある場合には前方に平面を形成しつつ、使用状態にある場合には使用者が物干し部１１に衣類ハンガーのフックを容易に掛止することが可能となる。
【００３０】
（傾斜部による傾斜動作）
次に傾斜部の構成と連結部による第１アーム片の傾斜動作について説明する。図１０は、格納状態にある第１アーム片を示す斜視図である。図１１は、移行状態にある第１アーム片を示す斜視図である。図１２は、使用状態にある第１アーム片を示す斜視図である。なお、図１０〜図１２には、左側の構成部材のみを示しているが、右側の構成部材についても同様である。
【００３１】
図１０〜図１２に示すように、傾斜部１０１は、筐体１０内部において筐体１０の幅方向両端部近傍に固定的に設けられた基部１０１０と、筐体１０の幅方向と平行な軸周りに回動可能に基部１０１０に軸支され、第１アーム片１２に連結される連結部１０１１とを備える。連結部１０１１の上部には、第１アーム片１２の第１連結部１２１が所定角度だけ回動可能に取り付けられており、この第１連結部１２１の連結軸の軸方向は、連結部１０１１の連結軸の軸方向と略直交するようになっている。そのため、上述したように、第１アーム片１２及び第２アーム片１３が傾斜されない状態における物干し部１１、第１アーム片１２及び第２アーム片１３それぞれの連結軸の軸方向は上下方向を向くようになっている。
【００３２】
第１アーム片１２は、物干し装置１が格納状態にある際には、図１０に示すように、第２連結部１２２が後方に位置するように筐体１０内部に収容される。また、物干し装置１が移行状態にある際には、図１１に示すように、第１アーム片１２が傾斜可能となるまで、即ち、第１アーム片１２の大部分が筐体１０の外部に引き出されるまで、その長尺方向が水平方向を向いたまま第２連結部１２２が筐体１０から離間する方向に第１アーム片１２が回動される。また、物干し装置１が使用状態にある際には、図１２に示すように、傾斜部１０１の連結部１０１１が所定角度だけ回動して、第１アーム片１２及び第２アーム片１３を傾斜させる。
【００３３】
（操作コード）
次に、物干し装置を使用状態から格納状態とする操作機構について説明する。図１３は、操作コードの一端が第２アーム片に接続された物干し装置の全体構成を示す斜視図である。図１４は、操作コードの一端が物干し部に接続された物干し装置の全体構成を示す斜視図である。
【００３４】
物干し装置１には、更に、物干し装置１を使用状態から格納状態とするための操作機構を設けることができ、この操作機構は、図１３に示すように、２つの操作コード９１ａ，９１ｂと、操作部９２と、２つのガイドピン９３ａ，９３ｂと、ストッパー９４とを有する。操作コード９１ａは、第２アーム片１３ａ、筐体１０内において右側に設けられるガイドピン９３ａと対応し、操作コード９１ｂは、第２アーム片１３ｂ、筐体１０内において右側に設けられるガイドピン９３ｂと対応する。
【００３５】
操作コード９１は紐状の部材であり、その一端が、対応する第２アーム片１３の側面、具体的には、物干し装置１の外方側に位置する側面に接続され、対応するガイドピン９３とストッパー９４を経由して、その他端が操作部９２に接続される。ガイドピン９３は、筐体１０において、幅方向両端部近傍に設けられる傾斜部１０１の内方側に傾斜部１０１と幅方向に所定距離だけ離間して設けられる上下方向に長尺の部材であり、筐体１０の後方の内壁と所定距離だけ離間するように、一端が筐体１０の上方の内壁に接続されるともに、他端が筐体１０の下方の内壁に接続される。ストッパー９４は、筐体１０の内部において、ガイドピン９３ａとガイドピン９３ｂとの間に配置され、側方両端部に２つの開口が形成されるとともに下方に１つの開口が形成され、側方の開口から下方の開口へ挿通された操作コード９１をロック可能なロック機構を内蔵する。２つの操作コード９１ａ，９１ｂは、ロック機構により同時にロックまたはロック解除により解放される。なお、筐体１０には、ストッパー９４の下方の開口に対応する位置に開口が形成されているものとする。操作部９２は、操作コード９１の他端が接続される把持部である。
【００３６】
一端が第２アーム片１３に接続された操作コード９１は、ガイドピン９３の外方、後方を通過する。次に、操作コード９３ｂのみが図７〜図９に示されるような筐体１０の後方の内壁と平面形成部１０２との間の間隙を通過し、ストッパー９４の左側の開口から下方の開口へ挿通される。また、操作コード９１ａは右側の開口からストッパー９４の下方の開口へ挿通される。更に、操作コード９１ａ及び９１ｂは、筐体１０の下方の開口を通過して、それぞれの他端が操作部９２に接続される。
【００３７】
ストッパー９４によるロックが解除された状態において物干し装置１の使用者により操作部９２が引き下げられると、操作コード９１により第２アーム片１３が後方斜め上に牽引され、物干し装置１が格納状態となる。使用者は、この状態においてストッパー９４に操作コード９１をロックさせる。なお、ストッパー９４は、操作部９２を引っ張る方向によって、ロック状態、またはロック解除状態が切り替えられるように構成される。
【００３８】
このような操作機構によれば、窓の上などの高位置に配置される物干し装置１を低位置から操作して格納状態とすることが容易となる。なお、操作コード９１の一端が接続される部材は第２アーム片１３でなくとも良く、図１４に示すように、操作コード９１の一端を物干し部１１の後方側面における幅方向両端部に接続するようにしても良い。
【００３９】
（変形例）
次に、物干し装置の変形例について説明する。上述した物干し装置においては、第１アーム片と物干し部の下方に第２アーム片を配置する構成としたが、上述した物干し装置以上の高さとならない範囲でこれらの部材の上下方向の配置を異ならせても良い。図１５は、物干し装置の変形例を示す側面図である。なお、図１５においては、物干し部、第１アーム片、第２アーム片のみが右側面図として示される。また、以下の説明における各部材の高さとは、傾斜部により傾斜されない状態における高さを意味するものとする。
【００４０】
図１５（ａ）に示す変形例においては、第１アーム片１２と第２アーム片１３とが同じ高さに配置され、これらの上方に物干し部１１が配置される。また、図１５（ｂ）に示す変形例においては、第１アーム片１２と第２アーム片１３と物干し部１１とが同じ高さに配置される。また、図１５（ｃ）に示す変形例においては、第１アーム片１２と第２アーム片１３とが同じ高さに配置され、これらの下方に物干し部１１が配置される。また、図１５（ｄ）に示す変形例においては、物干し部１１と第１アーム片１２とが同じ高さに配置され、これらの上方に第２アーム片１３が配置される。このように、物干し部１１の上端が第１アーム片の下端と略同等または第１アーム片の下端より高く、且つ物干し部１１の下端が第１アーム片の上端と略同等また第１アーム片の上端よりの低い配置とすることによって、物干し装置１の高さを縮小することができる。
【００４１】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００４２】
上述の実施形態では、物干し装置を使用状態から格納状態とするための操作機構を設ける例を開示したが、操作機構を格納状態から使用状態に移行するための操作に用いることもできる。この場合、操作コードの操作部を操作してストッパーによるロックを解除すると、物干し部または第２アーム片の自重によって物干し部が使用状態となるように引き出されるよう構成してもよい。また、物干し部や第２アーム片の自重を利用するのではなく、バネ等を利用して第１アーム片の第１連結部と第２アーム片の第２連結部が離間するように付勢するようにしてよい。
【符号の説明】
【００４３】
１  物干し装置
１０  筐体
１１  物干し部
１２  第１アーム片
１３  第２アーム片
１０１１  連結部
【図１】
2018121932.tif 000003
【図２】
2018121932.tif 000004
【図３】
2018121932.tif 000005
【図４】
2018121932.tif 000006
【図５】
2018121932.tif 000007
【図６】
2018121932.tif 000008
【図７】
2018121932.tif 000009
【図８】
2018121932.tif 000010
【図９】
2018121932.tif 000011
【図１０】
2018121932.tif 000012
【図１１】
2018121932.tif 000013
【図１２】
2018121932.tif 000014
【図１３】
2018121932.tif 000015
【図１４】
2018121932.tif 000016
【図１５】
2018121932.tif 000017